(57)【特許請求の範囲】
【請求項１】
リクエスト信号を携帯機へ送出し、当該リクエスト信号の受信に応答して前記携帯機より送信される応答信号の受信判定を行うことにより前記携帯機の照合を行い、当該照合の結果に応じて車載機器の制御を行う車載機器制御装置であって、
前記携帯機は、前記リクエスト信号に含まれる情報に応じて複数の周波数を切り替えて前記応答信号を送出することが可能となっており、
当該車載機器制御装置は、
前記携帯機より送信される前記応答信号の周波数がランダムに切り替わるようにするランダムな情報を含むリクエスト信号を送出するリクエスト信号送出手段と、
前記リクエスト信号に含まれる前記ランダムな情報に基づいて前記携帯機より送信される前記応答信号の周波数の切替パターンを特定する周波数特定手段と、
前記周波数特定手段により特定された前記応答信号の周波数の切替パターンに従って前記携帯機より送信される前記応答信号の受信判定を行う受信判定手段と、
車両のセキュリティ機能の解除を指示するための第１の操作と、前記車両のセキュリティ機能の設定を指示するための第２の操作と、を監視して前記車両に対する安全な操作がなされたか否かを推定する操作推定手段と、を備え、
前記操作推定手段により前記車両に対する安全な操作がなされたと推定された場合には、前記携帯機より送信される前記応答信号の周波数を予め定められた１つに固定することを備えたことを特徴とする車載機器制御装置。
【請求項２】
前記リクエスト信号送出手段により前記リクエスト信号を送出した後、前記携帯機へトリガ信号を送出するトリガ信号送出手段を備え、
前記携帯機は、前記リクエスト信号の受信に応じて１回目の前記応答信号を送信した後、前記トリガ信号を受信する毎に、２回目以降の前記応答信号を送信するようになっており、
前記受信判定手段は、前記リクエスト信号の送出に応じて前記携帯機より送出される前記１回目の前記応答信号の受信判定を行った後、前記トリガ信号を受信する毎に、前記携帯機より送信される２回目以降の前記応答信号の受信判定を行うことを特徴とする請求項１に記載の車載機器制御装置。
【請求項３】
前記照合が成立した回数の少ない周波数と前記照合が不成立となった回数の多い周波数のいずれかを優先順位の低い周波数とし、当該優先順位の低い周波数を除外して前記携帯機より送信される前記応答信号の周波数がランダムに切り替わるようにすることを特徴とする請求項１または２に記載の車載機器制御装置。
【請求項４】
前記リクエスト信号送出手段は、前記車両のドアの施錠および解錠のいずれか１つを指示するための第１の操作部に対する操作に応じて前記携帯機を照合するための前記リクエスト信号を前記携帯機へ送出するとともに、前記車両の走行用の動力源の始動を指示するための第２の操作部に対する操作に応じて前記携帯機を照合するための前記リクエスト信号を前記携帯機へ送出するようになっており、
当該車載機器制御装置は、前記第１の操作部に対する操作に応じて前記携帯機を照合するための前記リクエスト信号に応答して前記携帯機より送信される前記応答信号の回数よりも、前記第２の操作部に対する操作に応じて前記携帯機を照合するための前記リクエスト信号に応答して前記携帯機より送信される前記応答信号の回数の方が多くなるようにすることを特徴とする請求項１ないし３のいずれか１つに記載の車載機器制御装置。
【請求項５】
前記照合の種類により、１回の操作に応じて異なる回数の照合を実施することが可能となっており、前記１回の操作に応じて複数回照合を行う場合、２回目以降の照合時に前記携帯機より送信される前記応答信号の周波数を、最初に照合が成立したときに前記携帯機より送信された前記応答信号の周波数のいずれか１つに固定することを特徴とする請求項１ないし４のいずれか１つに記載の車載機器制御装置。
【請求項６】
前記携帯機の照合が成立した後、一定時間は、前記携帯機より送信される前記応答信号の周波数を、前記携帯機の照合が成立した際に使用した周波数のいずれか１つに固定することを特徴とする請求項１ないし４に記載の車載機器制御装置。
【請求項７】
前記第１の操作は、ドアの解錠操作またはエンジン始動操作であり、
前記第２の操作は、ドアの施錠操作またはエンジン停止操作であることを特徴とする請求項１ないし６のいずれか１つに記載の車載機器制御装置。
【請求項８】
車両位置を特定する車両位置特定手段と、
前記車両位置に基づいて前記車両位置が安全な場所であるか否かを推定する位置推定手段と、を備え、
前記位置推定手段により前記車両位置が安全な場所であると推定された場合には、前記携帯機より送信される前記応答信号の周波数を予め定められた１つに固定することを特徴とする請求項１ないし４のいずれか１つに記載の車載機器制御装置。
【請求項９】
前記操作推定手段は、地点登録された自宅駐車場と、地点登録された建物から予め定められた距離未満に位置する駐車場と、危険な場所以外のいずれかを安全な場所であると推定することを特徴とする請求項８に記載の車載機器制御装置。
【請求項１０】
一定時間内に照合を指示するための同一の操作が実施されたと判定された場合には、前記携帯機より送信される前記応答信号の周波数の固定を解除することを特徴とする請求項５ないし９のいずれか１つに記載の車載機器制御装置。
【請求項１１】
一定時間内に照合を指示するための連続した同一の操作が実施されたことを判定した場合には、前記携帯機より送信される前記応答信号の周波数の固定を解除することを特徴とする請求項５ないし９いずれか１つに記載の車載機器制御装置。
【請求項１２】
前記照合を指示するための同一操作が一定回数以上実施されたことを判定した場合には、前記携帯機より送信される前記応答信号の周波数の固定を解除することを特徴とする請求項５ないし９のいずれか１つに記載の車載機器制御装置。
【請求項１３】
照合を指示するための連続した同一操作が一定回数以上実施されたことを判定した場合には、前記携帯機より送信される前記応答信号の周波数の固定を解除することを特徴とする請求項５ないし９のいずれか１つに記載の車載機器制御装置。
【請求項１４】
一定時間内に照合を指示するための同一操作が一定回数以上実施されたことを判定した場合には、前記携帯機より送信される前記応答信号の周波数の固定を解除することを特徴とする請求項５ないし９のいずれか１つに記載の車載機器制御装置。
【請求項１５】
一定時間内に照合を指示するための連続した同一操作が一定回数以上実施されたことを判定した場合には、前記携帯機より送信される前記応答信号の周波数の固定を解除することを特徴とする請求項５ないし９のいずれか１つに記載の車載機器制御装置。
【請求項１６】
前記携帯機より送信される複数の前記応答信号の周波数の切替パターンの特定方法を選択する選択画面を表示させ、
前記選択画面に従ってユーザにより選択された前記応答信号の周波数の切替パターンの特定方法に従って前記携帯機より送信される複数の前記応答信号の周波数の切替パターンを特定することを特徴とする請求項１ないし１０のいずれか１つに記載の車載機器制御装置。
【発明の詳細な説明】
【技術分野】
【０００１】
本発明は、携帯機の照合を行い、当該照合の結果に応じて車載機器の制御を行う車載機器制御装置に関するものである。
【背景技術】
【０００２】
従来、キーを操作することなく車両のドアを開錠または施錠することができる遠隔制御装置が知られている（たとえば特許文献１）。この特許文献１の装置では、リクエスト信号を携帯機へ送出し、このリクエスト信号に応答して携帯機より送信される応答信号の受信判定を行うことにより携帯機の照合を実施し、ドアロック状態で正規のキーであると判定した場合に、ドアをアンロックする構成となっている。
【先行技術文献】
【特許文献】
【０００３】
【特許文献１】特開２０００−１０４４２９号公報
【発明の概要】
【発明が解決しようとする課題】
【０００４】
上記したリクエスト信号を携帯機へ送出し、このリクエスト信号に応答して携帯機より送信される応答信号の受信判定を行うことにより携帯機の照合を実施するような車載制御装置では、携帯機の所持者が車両側装置の検知エリアに位置した状況で携帯機の照合が成立することが前提となっている。
【０００５】
しかしながら、従来の車載制御装置は、車両側装置からのリクエスト信号に応答して携帯機より送信される応答信号の送信周波数が固定となっており、信号を複製することで、携帯機の所持者が車両側装置の検知エリアに位置しなくても携帯機の照合が成立してしまう可能性があるといった問題があった。このようにして携帯機の照合が成立してしまうと、例えば、悪意のある第三者により車両のドアの解錠が実施され、更に、車両のエンジン始動が行われ、車両が盗難される可能性があるという問題がある。
【０００６】
そこで、リクエスト信号の送信に応答して、携帯機より複数の周波数を切り替えて応答信号を送信させるようにして信号の複製を防止することが考えられる。
【０００７】
しかし、携帯機より送信される応答信号の周波数の切替パターンが固定となっていると、第三者により切替パターンが特定され易い。そして、第三者により切替パターンが特定されてしまうと、その切替パターンに従って受信周波数をチューニングしながら信号の複製ができてしまうため、セキュリティ性が低下してしまう。
【０００８】
また、携帯機より周波数を切り替えて送信される応答信号の回数を多数にすることでセキュリティ性を向上させることも可能であるが、応答信号の回数を多数にするほど照合に要する時間も長くなるため応答性が低下してしまうといった問題もある。
【０００９】
本発明は上記問題に鑑みたもので、応答性の低下を抑制しつつ、セキュリティ性の向上を図ることを目的とする。
【課題を解決するための手段】
【００１０】
上記目的を達成するため、請求項１に記載の発明は、リクエスト信号を携帯機へ送出し、当該リクエスト信号の受信に応答して携帯機より送信される応答信号の受信判定を行うことにより携帯機の照合を行い、当該照合の結果に応じて車載機器の制御を行う車載機器制御装置であって、携帯機は、リクエスト信号に含まれる情報に応じて複数の周波数を切り替えて応答信号を送出することが可能となっており、当該車載機器制御装置は、携帯機より送信される応答信号の周波数がランダムに切り替わるようにするランダムな情報を含むリクエスト信号を送出するリクエスト信号送出手段と、リクエスト信号に含まれるランダムな情報に基づいて携帯機より送信される応答信号の周波数の切替パターンを特定する周波数特定手段と、周波数特定手段により特定された応答信号の周波数の切替パターンに従って携帯機より送信される応答信号の受信判定を行う受信判定手段と、車両のセキュリティ機能の解除を指示するための第１の操作と、車両のセキュリティ機能の設定を指示するための第２の操作と、を監視して車両に対する安全な操作がなされたか否かを推定する操作推定手段と、を備え、操作推定手段により車両に対する安全な操作がなされたと推定された場合には、携帯機より送信される応答信号の周波数を予め定められた１つに固定することを特徴としている。
【００１１】
このような構成によれば、当該車載機器制御装置は、携帯機より送信される応答信号の周波数がランダムに切り替わるようにするランダムな情報を含むリクエスト信号を送出し、リクエスト信号に含まれるランダムな情報に基づいて携帯機より送信される応答信号の周波数の切替パターンを特定し、この応答信号の周波数の切替パターンに従って携帯機より送信される応答信号の受信判定が行われるので、携帯機より応答信号を多数回送信させなくても応答信号の周波数の切替パターンが特定され難く、応答性の低下を抑制しつつ、セキュリティ性の向上を図ることができる。
また、車両のセキュリティ機能の解除を指示するための第１の操作と、車両のセキュリティ機能の設定を指示するための第２の操作と、を監視して車両に対する安全な操作がなされたか否かを推定し、車両に対する安全な操作がなされたと推定された場合には、携帯機より送信される応答信号の周波数が予め定められた１つに固定されるので、応答性を向上することができる。
【００１２】
また、請求項２に記載の発明は、リクエスト信号送出手段によりリクエスト信号を送出した後、携帯機へトリガ信号を送出するトリガ信号送出手段を備え、携帯機は、リクエスト信号の受信に応じて１回目の応答信号を送信した後、トリガ信号を受信する毎に、２回目以降の応答信号を送信するようになっており、受信判定手段は、リクエスト信号の送出に応じて携帯機より送出される１回目の応答信号の受信判定を行った後、トリガ信号を受信する毎に、携帯機より送信される２回目以降の応答信号の受信判定を行うことを特徴としている。
【００１３】
このような構成によれば、リクエスト信号の送出に応じて携帯機より送出される１回目の応答信号の受信判定を行った後、トリガ信号を受信する毎に、携帯機より送信される２回目以降の応答信号の受信判定を行うので、より精度良く応答信号の受信判定を行うことができる。
【００１４】
また、請求項３に記載の発明は、照合が成立した回数の少ない周波数と照合が不成立となった回数の多い周波数のいずれかを優先順位の低い周波数とし、当該優先順位の低い周波数を除外して携帯機より送信される応答信号の周波数の切替パターンを特定することを特徴としている。
【００１５】
このような構成によれば、照合が成立した回数の少ない周波数と照合が不成立となった回数の多い周波数のいずれかを優先順位の低い周波数とし、当該優先順位の低い周波数を除外して携帯機より送信される応答信号の周波数の切替パターンが特定されるので、応答性の低下を抑制しつつ、妨害波等による影響をなくすことが可能である。
【００１６】
また、請求項４に記載の発明は、リクエスト信号送出手段は、車両のドアの施錠および解錠のいずれか１つを指示するための第１の操作部に対する操作に応じて携帯機を照合するためのリクエスト信号を携帯機へ送出するとともに、車両の走行用の動力源の始動を指示するための第２の操作部に対する操作に応じて携帯機を照合するためのリクエスト信号を携帯機へ送出するようになっており、当該車載機器制御装置は、第１の操作部に対する操作に応じて携帯機を照合するためのリクエスト信号に応答して携帯機より送信される応答信号の回数よりも、第２の操作部に対する操作に応じて携帯機を照合するためのリクエスト信号に応答して携帯機より送信される応答信号の回数の方が多くなるように応答信号の周波数の切替パターンを特定することを特徴としている。
【００１７】
このような構成によれば、車両のドアの施錠および解錠のいずれか１つを指示するための第１の操作部に対する操作に応じて携帯機を照合するためのリクエスト信号に応答して携帯機より送信される応答信号の回数よりも、車両の走行用の動力源の始動を指示するための第２の操作部に対する操作に応じて携帯機を照合するためのリクエスト信号に応答して携帯機より送信される応答信号の回数の方が多くなるように応答信号の周波数の切替パターンが特定されるので、仮に第三者が車両のドアを不正に解錠することができたとしても車両の走行用の動力源を不正に始動させるのは難しく、車両盗難の防止を図ることができる。
【００１８】
また、請求項５に記載の発明は、照合の種類により、１回の操作に応じて異なる回数の照合を実施することが可能となっており、１回の操作に応じて複数回照合を行う場合、２回目以降の照合時に携帯機より送信される応答信号の周波数を、最初に照合が成立したときに携帯機より送信された応答信号の周波数のいずれか１つに固定することを特徴としている。
【００１９】
このような構成によれば、１回の操作に応じて複数回照合を行う場合、２回目以降の照合時に携帯機より送信される応答信号の周波数を、最初に照合が成立したときに携帯機より送信された応答信号の周波数のいずれか１つに固定するので、毎回、携帯機より複数回の応答信号を送信させる場合と比較して応答性を向上することができる。
【００２０】
また、請求項６に記載の発明は、携帯機の照合が成立した後、一定時間は、携帯機より送信される応答信号の周波数を、携帯機の照合が成立した際に使用した周波数のいずれか１つに固定することを特徴としている。
【００２１】
このような構成によれば、携帯機の照合が成立した後、一定時間は、携帯機より送信される応答信号の周波数を、携帯機の照合が成立した際に使用した周波数のいずれか１つに固定するので、応答性を向上することができる。
【００２４】
なお、請求項７に記載の発明のように、第１の操作は、ドアの解錠操作またはエンジン始動操作であり、第２の操作は、ドアの施錠操作またはエンジン停止操作とすることができる。
【００２５】
また、請求項８に記載の発明は、車両位置を特定する車両位置特定手段と、車両位置に基づいて車両位置が安全な場所であるか否かを推定する位置推定手段と、を備え、位置推定手段により車両位置が安全な場所であると推定された場合には、携帯機より送信される応答信号の周波数を予め定められた１つに固定することを特徴としている。
【００２６】
このような構成によれば、車両位置が安全な場所であると推定された場合には、携帯機より送信される応答信号の周波数を予め定められた１つに固定されるので、応答性を向上することができる。
【００２７】
なお、請求項９に記載の発明のように、操作推定手段は、地点登録された自宅駐車場と、地点登録された建物から予め定められた距離未満に位置する駐車場と、危険な場所以外のいずれかを安全な場所であると推定することができる。
【００２８】
また、請求項１０に記載の発明は、一定時間内に照合を指示するための同一の操作が実施されたと判定された場合には、携帯機より送信される応答信号の周波数の固定を解除することを特徴としている。
【００２９】
このような構成によれば、一定時間内に照合を指示するための同一の操作が実施されたと判定された場合には、携帯機より送信される応答信号の周波数の固定を解除するので、一定時間内に照合を指示するための同一の操作が実施されたと判定されるまでは、応答性を向上することができ、一定時間が経過した後は、応答性の低下を抑制しつつ、セキュリティ性の向上を図ることができる。
【００３０】
また、請求項１１に記載の発明のように、一定時間内に照合を指示するための連続した同一の操作が実施されたことを判定した場合には、携帯機より送信される応答信号の周波数の固定を解除することもできる。
【００３１】
このような構成によれば、一定時間内に照合を指示するための連続した同一の操作が実施されたと判定された場合、応答信号の周波数の固定を解除するので、一定時間内に照合を指示するための連続した同一の操作が実施されたと判定されるまでは、応答性を向上することができ、一定時間が経過した後は、応答性の低下を抑制しつつ、セキュリティ性の向上を図ることができる。
【００３２】
また、請求項１２に記載の発明のように、照合を指示するための同一操作が一定回数以上実施されたことを判定した場合には、携帯機より送信される応答信号の周波数の固定を解除することもできる。
【００３３】
このような構成によれば、照合を指示するための同一の操作が一定回数以上実施されたと判定された場合、応答信号の周波数の固定を解除するので、照合を指示するための同一の操作が一定回数以上実施されたと判定されるまでは、応答性を向上することができ、一定回数以上実施した後は、応答性の低下を抑制しつつ、セキュリティ性の向上を図ることができる。
【００３４】
また、請求項１３に記載の発明のように、照合を指示するための連続した同一操作が一定回数以上実施されたことを判定した場合には、携帯機より送信される応答信号の周波数の固定を解除することもできる。
【００３５】
このような構成によれば、照合を指示するための連続した同一操作が一定回数以上実施されたと判定された場合、応答信号の周波数の固定を解除するので、照合を指示するための連続した同一操作が一定回数以上実施されたと判定されるまでは、応答性を向上することができ、一定回数以上実施した後は、応答性の低下を抑制しつつ、セキュリティ性の向上を図ることができる。
【００３６】
また、請求項１４に記載の発明のように、一定時間内に照合を指示するための同一操作が一定回数以上実施されたことを判定した場合には、携帯機より送信される応答信号の周波数の固定を解除することもできる。
【００３７】
このような構成によれば、一定時間内に照合を指示するための同一操作が一定回数以上実施されたと判定された場合、応答信号の周波数の固定を解除するので、一定時間内に照合を指示するための同一操作が一定回数以上実施されたと判定されるまでは、応答性を向上することができ、一定時間が経過した後は、応答性の低下を抑制しつつ、セキュリティ性の向上を図ることができる。
【００３８】
また、請求項１５に記載の発明のように、照合を指示するための連続した同一操作が一定回数以上実施されたことを判定した場合には、携帯機より送信される応答信号の周波数の固定を解除することもできる。
【００３９】
このような構成によれば、一定時間内に照合を指示するための連続した同一操作が一定回数以上実施されたと判定された場合、応答信号の周波数の固定を解除するので、一定時間内に照合を指示するための連続した同一操作が一定回数以上実施されたと判定されるまでは、応答性を向上することができ、一定時間が経過した後は、応答性の低下を抑制しつつ、セキュリティ性の向上を図ることができる。
【００４０】
また、請求項１６に記載の発明は、携帯機より送信される複数の応答信号の周波数の切替パターンの特定方法を選択する選択画面を表示させ、選択画面に従ってユーザにより選択された応答信号の周波数の切替パターンの特定方法に従って携帯機より送信される複数の応答信号の周波数の切替パターンを特定することを特徴としている。
【００４１】
このように、携帯機より送信される複数の応答信号の周波数の切替パターンの特定方法を選択する選択画面を表示させ、選択画面に従ってユーザにより選択された応答信号の周波数の切替パターンの特定方法に従って携帯機より送信される複数の応答信号の周波数の切替パターンを特定することもできる。
【図面の簡単な説明】
【００４２】
【図１】本発明の第１実施形態に係る車載機器制御装置の概略構成を示す図である。
【図２】リクエスト信号に応じて送信される応答信号（レスポンス信号およびＡＣＫ）について説明するための図である。
【図３】リクエスト信号に応じて送信される応答信号（レスポンス信号およびＡＣＫ）について説明するための図である。
【図４】車両のドアの施錠操作がなされた場合における車両側ユニットの制御部による施錠処理のフローチャートである。
【図５】車両のエンジンを始動するための操作がなされた場合における車両側ユニットの制御部によるエンジン始動処理のフローチャートである。
【図６】リクエスト信号に応じて送信される応答信号（レスポンス信号およびＡＣＫ）について説明するための図である。
【図７】車両のエンジンを始動するための操作がなされた場合における車両側ユニットの制御部によるエンジン始動処理のフローチャートである。
【発明を実施するための形態】
【００４３】
（第１実施形態）
本発明の第１実施形態に係る車載機器制御装置の概略構成を示す図１に示す。本車載機器制御装置は、車両側ユニット１００と携帯機２００により構成されている。本車載機器制御装置は、車両に搭載される車両側ユニット１００より送信されるリクエスト信号に応答して携帯機２００より送信される応答信号の受信判定を行うことにより携帯機２００の照合を行い、その照合の照合結果に基づいて、ドア制御装置３００、エンジン制御装置４０等の車載機器を制御する。
【００４４】
また、本実施形態における携帯機２００は、複数の周波数を切り替えて複数の応答信号を送信することが可能となっておいる。車載機器制御装置は、携帯機２００より送信される応答信号の秘匿性を高めるため、ランダムな情報を含むリクエスト信号を送出し、携帯機２００より送信される複数の応答信号の周波数の切替パターンをリクエスト信号の一部の情報より特定し、このリクエスト信号に含まれる情報に従った周波数の切替パターンで携帯機２００より送信される応答信号の受信判定を行う。
【００４５】
本車載機器制御装置は、ユーザによるドアハンドルに設けられたドアスイッチの押下操作（施錠操作）に応じて車両のドアを施錠するための照合を実施し、照合が成立すると車両のドアを施錠する。また、ドアハンドルの裏側に設けられた接触センサに触れるようにドアハンドルを握る操作（解錠操作）に応じて車両のドアを解錠するための照合を実施し、照合が成立すると車両のドアを解錠する。
【００４６】
また、ユーザによるブレーキペダルを踏みながらのエンジン始動停止スイッチの押下操作（エンジン始動操作）に応じて車両のエンジン始動のための照合を実施し、照合が成立すると車両のエンジンを始動させる。また、車両を停車させた状態でのエンジン始動停止スイッチの押下操作（エンジン停止操作）に応じて車両のエンジン停止のための照合を実施し、照合が成立すると車両のエンジンを停止させる。
【００４７】
車両側ユニット１００は、発信機１１０、チューナ１２０および制御部１３０を備えている。
【００４８】
発信機１１０は、制御部１３０より入力されるデータに応じて、車両外の所定の検知エリアへリクエスト信号を無線送信する。本実施形態における発信機１１０は、ＬＦ帯（Ｌｏｗ  Ｆｒｅｑｕｅｎｃｙ)の電波（例えば１３４ＫＨｚ近傍の電波）を搬送波とする電波を、ＦＭ変調またはＡＭ変調した無線信号を送信する。
【００４９】
また、発信機１１０は、車室外に設置された車室外アンテナと、車室内に設置された車室内アンテナを有している。
【００５０】
本車両側ユニット１００は、車室外アンテナよりリクエスト信号を送信して車室外に存在する携帯機２００の照合を行う車室外照合と、車室内アンテナよりリクエスト信号を送信して車室内に存在する携帯機２００の照合を行う車室内照合を別々に実施することが可能となっている。
【００５１】
チューナ１２０は、発信機１１０より無線送信されたリクエスト信号に応答して携帯機２００より無線送信される応答信号を受信して、その応答信号に含まれているデータを制御部２３０へ送出する。本実施形態におけるチューナ１３０は、ＵＨＦ帯(Ｕｌｔｒａｈｉｇｈ Ｆｒｅｑｕｅｎｃｙ)の電波を受信可能に構成されている。
【００５２】
本実施形態における車両側ユニット１００は、携帯機２００より順次送信される応答信号をチューナ１３０に受信させる際に、受信周波数をチューニングして応答信号を受信するようになっている。
【００５３】
制御部１３０は、ＣＰＵ１３１、メモリ１３２等を備えており、ＣＰＵ１３１は、メモリ１３２に記憶されたプログラムに従って各種処理を実施する。
【００５４】
制御部１３０には、ドア制御装置３００およびエンジン制御装置４００が接続されている。
【００５５】
ドア制御装置３００は、車両ドアのロックおよびアンロックを制御するためのアクチュエータ、ドアハンドルに設けられたドアスイッチ、ドアハンドルの裏側に設けられた接触センサおよび制御装置（いずれも図示せず）を備えている。
【００５６】
ドア制御装置３００は、ドアハンドルに設けられたドアスイッチに対する押下操作に応じた信号と、ドアハンドルの裏側に設けられた接触センサに対する接触操作に応じた信号を、それぞれ車両側ユニット１００へ送出するとともに、車両側ユニット１００より車両ドアの施錠指示が入力されるとアクチュエータを駆動して車両ドアの施錠を制御し、車両側ユニット１００より車両ドアの解錠指示が入力されるとアクチュエータを駆動して車両ドアの解錠を制御する。
【００５７】
エンジン制御装置４００は、車両のエンジン始動およびエンジン停止を指示するためのエンジン始動停止スイッチおよび制御装置（いずれも図示せず）を備え、運転者によるエンジン始動停止スイッチに対する操作に応じた信号を車両側ユニット１００へ送出するとともに、車両側ユニット１００より車両エンジンの始動指示が入力されると車両エンジンを始動させる。また、車速信号に基づいて車両が停止したことを判定し、かつ、運転者によるエンジン始動停止スイッチに対する操作が実施されたことを判定すると、車両エンジンを停止させる。
【００５８】
一方、携帯機２００は、制御部２３０と、車両側ユニット１００より送信されたリクエスト信号を受信して、そのリクエスト信号に含まれているデータを制御部２３０へ送出する受信部２１０と、制御部２３０より入力されるデータを含む応答信号を無線送信する送信部２２０と、を備えている。
【００５９】
送信部２２０は、応答信号を送信する際に、特定の複数の周波数の中から指定した周波数を搬送波とする電波を、ＦＭ変調またはＡＭ変調した無線信号を送信する。なお、本実施形態では、ＵＨＦ帯のうち３００〜４００ＭＨｚ帯から特定の複数の周波数（例えば、周波数ｆ１、周波数ｆ２、・・、周波数ｆｎ）が送信部２２０により選択可能となっている。
【００６０】
本実施形態に係る車両側ユニット１００は、ランダムな情報を含むリクエスト信号を送出し、携帯機２００より送信される複数の応答信号の周波数の切替パターンをリクエスト信号の一部の情報より特定するようにしている。また、携帯機２００は、車両側ユニット１００よりリクエスト信号を受信すると、そのリクエスト信号に含まれる情報に従った周波数の切替パターンで応答信号を切り替えて送信するようになっている。
【００６１】
例えば、図２（ａ）に示すように、リクエスト信号に基づいて特定される周波数の切替パターンがパターン１の場合、携帯機２００は、周波数ｆ１でレスポンス信号を送出した後、周波数ｆ２でＡＣＫを送出し、その後、周波数ｆ３でＡＣＫを再送出する。
【００６２】
また、図２（ｂ）に示すように、リクエスト信号に基づいて特定される周波数の切替パターンがパターン２の場合、携帯機２００は、周波数ｆ２でレスポンス信号を送出した後、周波数ｆ３でＡＣＫ信号を送出し、その後、周波数ｆ１でＡＣＫ信号を再送出する。
【００６３】
また、図３（ａ）に示すように、リクエスト信号に基づいて特定される周波数の切替パターンがパターン１０の場合、携帯機２００は、周波数ｆ１でレスポンス信号を送出した後、周波数ｆ２でＡＣＫを送出する。
【００６４】
また、図３（ｂ）に示すように、リクエスト信号に基づいて特定される周波数の切替パターンがパターン１１の場合、携帯機２００は、周波数ｆ２でレスポンス信号を送出した後、周波数ｆ１でＡＣＫを送出する。
【００６５】
このように、携帯機２００は、受信したリクエスト信号に基づいて周波数の切替パターンおよび回数を特定し、特定した周波数の切替パターンに従って複数の応答信号を切り替えて送信するようになっている。
【００６６】
車両側ユニット１００における制御部１３０のメモリ１３２には、予めユーザが所持する携帯機２００のＩＤコードが登録されている。
【００６７】
車両側ユニット１００は、携帯機２００より順次送信される複数の応答信号をチューナ１３０に受信させる際に、受信周波数をチューニングして応答信号を受信し、更に、制御部１３０のメモリ１３２に記憶されたＩＤコードと、応答信号のレスポンス信号に含まれるＩＤコードの一致判定を行う。車両側ユニット１００は、このように応答信号の受信判定を行うことにより携帯機２００の照合を行う。
【００６８】
図４に、車両のドアの施錠操作がなされた場合における車両側ユニット１００の制御部１３０による施錠処理のフローチャートを示す。なお、本車載機器制御装置は、１回の施錠操作に応じて車室外照合と車室内照合を実施するようになっている。制御部１３０は、定期的に図４に示す処理を実施する。
【００６９】
まず、車両のドアの施錠操作があるか否かを判定する（Ｓ１００）。具体的には、ドアハンドルに設けられたドアスイッチに対する押下操作があったか否かを判定する。
【００７０】
ここで、ドアハンドルに設けられたドアスイッチに対する押下操作がない場合、Ｓ１００の判定はＮＯとなり、Ｓ１００の判定へ戻る。また、ユーザによりドアハンドルに設けられたドアスイッチに対する押下操作が実施されると、Ｓ１００の判定はＹＥＳとなり、次に、ランダムな情報を含むリクエスト信号を車室外アンテナより送信させる（Ｓ１０２）。リクエスト信号には、応答信号の周波数の切替パターンを示した情報として複数ビット（例えば、３ビット）が割り当てられている。ここでは、リクエスト信号の一部を複数ビットに対応させることにより応答信号の周波数の切替パターンをランダムに特定する。
【００７１】
例えば、３ビットが０００となった場合には、図２（ａ）に示したパターン１となり、３ビットが００１となった場合には、図２（ｂ）に示したパターン２となる。また、３ビットが１０１となった場合には、図３（ａ）に示したパターン１０となり、３ビットが１００となった場合には、図３（ｂ）に示したパターン１１となる。
【００７２】
次に、応答信号の受信判定を実施する（Ｓ１０４）。具体的には、リクエスト信号に含まれる一部の情報に基づいて携帯機より送信される応答信号の周波数の切替パターンを特定し、この特定した応答信号の周波数の切替パターンに従って携帯機より送信される応答信号の受信判定を行う。すなわち、応答信号の周波数の切替パターンに受信周波数を合わせて応答信号を受信し、更に、制御部１３０のメモリ１３２に記憶されたＩＤコードと、応答信号のレスポンス信号に含まれるＩＤコードの一致判定を行い、応答信号の受信判定を実施する。
【００７３】
次に、応答信号の受信判定の判定結果に基づいて車室外照合がＯＫか否かを判定する（Ｓ１０６）。
【００７４】
応答信号の受信判定が正常の場合、Ｓ１０６の判定はＹＥＳとなり、次に、正常受信と判定された周波数の回数をメモリ１３２に蓄積記憶させ（Ｓ１０８）、携帯機２００より送信される応答信号の周波数を、Ｓ１０２の車室外照合で正常受信した周波数のいずれか１つに固定し、リクエスト信号を車室内アンテナより送出させ（Ｓ１１２）、Ｓ１１４へ進む。
【００７５】
また、応答信号の受信判定が異常の場合、Ｓ１０６の判定はＮＯとなり、異常受信と判定された周波数の回数をメモリ１３２に蓄積記憶させ（Ｓ１１０）、ランダムなリクエスト信号を車室内アンテナより送出させ（Ｓ１１３）、Ｓ１１４へ進む。
【００７６】
Ｓ１１４では、応答信号の受信判定を実施する。具体的には、リクエスト信号に含まれる一部の情報に基づいて携帯機より送信される応答信号の周波数の切替パターンを特定し、この特定した応答信号の周波数の切替パターンに従って携帯機より送信される応答信号の受信判定を行う。すなわち、応答信号の周波数の切替パターンに受信周波数を合わせて応答信号を受信し、更に、制御部１３０のメモリ１３２に記憶されたＩＤコードと、応答信号のレスポンス信号に含まれるＩＤコードの一致判定を行い、応答信号の受信判定を実施する。なお、図２（ａ）に示したパターン１では、ｆ１、ｆ２、ｆ３の順に受信周波数を合わせて応答信号を受信し、図２（ｂ）に示したパターン２では、ｆ２、ｆ３、ｆ１の順に受信周波数を合わせて応答信号を受信する。
【００７７】
次に、応答信号の受信判定の判定結果に基づいて車室外照合がＯＫ（正常）で、かつ、車室内照合がＮＧ（異常）か否かを判定する（Ｓ１１６）。
【００７８】
Ｓ１０６における車室外照合がＯＫで、かつ、Ｓ１１６における車室内照合がＮＧの場合、Ｓ１１６の判定はＹＥＳとなり、次に、車両のドアの施錠制御を実施する（Ｓ１１８）。具体的には、ドア制御装置３００に対して車両ドアの施錠を指示し、本処理を終了する。これにより、車両のドアが施錠される。
【００７９】
また、Ｓ１０６における車室外照合がＮＧの場合、あるいは、Ｓ１０６における車室外照合がＯＫであっても、Ｓ１１６における車室内照合がＯＫの場合、Ｓ１０６の判定はＮＯとなり、車両のドアの施錠制御を実施することなく、本処理を終了する。
【００８０】
図５に、車両のエンジンを始動するための操作がなされた場合における車両側ユニット１００の制御部１３０によるエンジン始動のフローチャートを示す。制御部１３０は、定期的に図５に示す処理を実施する。
【００８１】
まず、車両のエンジンの始動操作があるか否かを判定する（Ｓ２００）。具体的には、車両を停車させた状態でのエンジン始動停止スイッチの押下操作があったか否かを判定する。車両を停車させた状態か否かの判定は、車速センサより入力される信号に基づいて行うことができる。
【００８２】
ここで、車両を停車させた状態でのエンジン始動停止スイッチの押下操作がない場合、Ｓ２００の判定はＮＯとなり、Ｓ２００の判定へ戻る。また、車両を停車させた状態で、エンジン始動停止スイッチの押下操作があると、Ｓ２００の判定はＹＥＳとなり、次に、ランダムな情報を含むリクエスト信号を車室内アンテナより送出させる（Ｓ２０２）。リクエスト信号には、応答信号の周波数の切替パターンを示した情報として複数ビット（例えば、３ビット）が割り当てられている。ここでは、図４のＳ１０２と同様に、リクエスト信号の一部を複数ビットに対応させることにより応答信号の周波数の切替パターンをランダムに特定する。
【００８３】
次に、応答信号の受信判定を実施する（Ｓ２０４）。具体的には、応答信号の周波数の切替パターンに受信周波数を合わせて応答信号を受信し、更に、制御部１３０のメモリ１３２に記憶されたＩＤコードと、応答信号のレスポンス信号に含まれるＩＤコードの一致判定を行い、応答信号の受信判定を実施する。
【００８４】
次に、応答信号の受信判定の判定結果に基づいて車室内照合がＯＫか否かを判定する（Ｓ２０６）。
【００８５】
予めＩＤコードが登録されている携帯機２００より、リクエスト信号に含まれる情報に従った周波数の切替パターンに従って応答信号が送信され、チューナ１２０により、リクエスト信号に含まれる情報に従った周波数の切替パターンに従って応答信号が受信され、かつ、制御部１３０のメモリ１３２に記憶されたＩＤコードと、応答信号のレスポンス信号に含まれるＩＤコードが一致し、応答信号の受信判定は正常判定となると、Ｓ２０６の判定はＹＥＳとなり、次に、エンジン始動制御を実施する（Ｓ２０８）。具体的には、エンジン制御装置４００に車両のエンジン始動を指示し、これにより、車両のエンジンが始動する。
【００８６】
次に、正常受信と判定された周波数の回数をメモリ１３２に蓄積記憶させ（Ｓ２１０）、本処理を終了する。
【００８７】
また、チューナ１２０により、リクエスト信号に含まれる情報に従った周波数の切替パターンに従って応答信号が正常受信されない場合、Ｓ２０６の判定はＮＯとなり、異常受信と判定された周波数の回数をメモリ１３２に蓄積記憶させ（Ｓ２１２）、本処理を終了する。
【００８８】
また、例えば、悪意のある第三者がリクエスト信号を複製し、この複製したリクエスト信号に応答して携帯機２００より応答信号を送信させようとしても、携帯機２００よりランダムに特定された周波数の切替パターンに従って応答信号が順次送信され、応答信号を複製することはできない。すなわち、チューナ１２０は応答信号を正常に受信することができず、Ｓ２０６の判定はＮＯとなり、車両のエンジンを始動させることなく、本処理を終了する。
【００８９】
上記した構成によれば、携帯機２００は、複数の周波数を切り替えて応答信号を送信することが可能となっており、ランダムな情報を含むリクエスト信号を送出し、携帯機２００より送信される複数の応答信号の周波数の切替パターンをリクエスト信号の一部の情報より特定し、このリクエスト信号に含まれる情報に従った周波数の切替パターンで携帯機２００より送信される応答信号の受信判定が行われるので、応答信号の周波数の切替パターンが特定され難く、セキュリティ性の向上を図ることができる。
【００９０】
なお、本実施形態では、車両のドアの施錠操作がなされた場合と、車両のエンジン始動操作がなされた場合について、それぞれ応答信号の周波数の切替パターンをランダムに特定し、当該応答信号の周波数の切替パターンを示した情報を含むリクエスト信号を送出させ、リクエスト信号に応答して携帯機２００より送信される応答信号の受信判定を実施する構成を示したが、車両のドアの解錠操作がなされた場合、車両のエンジン停止操作がなされた場合についても、同様に、応答信号の周波数の切替パターンをランダムに特定し、当該応答信号の周波数の切替パターンを示した情報を含むリクエスト信号を送出させ、リクエスト信号に応答して携帯機２００より送信される応答信号の受信判定を実施することもできる。
【００９１】
(第２実施形態)
上記第１実施形態では、車両側ユニット１００より送信されたリクエスト信号に応答して携帯機２００よりレスポンス信号およびＡＣＫを順次送信する構成を示したが、本実施形態における車両側ユニット１００は、図６に示すように、リクエスト信号を送信した後、携帯機２００へトリガ信号Ｔｒｇを送出するようになっており、携帯機２００は、リクエスト信号の受信に応じて１回目の応答信号（レスポンス信号）を送信した後、トリガ信号Ｔｒｇを受信する毎に、２回目以降の応答信号（ＡＣＫ）を送信する。
【００９２】
このような構成によれば、車両側ユニット１００は、リクエスト信号の受信に応じて１回目の応答信号（レスポンス信号）の受信判定を行った後、トリガ信号Ｔｒｇを受信する毎に、２回目以降の応答信号（ＡＣＫ）の受信判定を行うので、精度良く応答信号の受信判定を行うことができる。
【００９３】
（第３実施形態）
本実施形態では、照合が成立した回数の少ない周波数を優先順位の低い周波数とし、周波数特定手段は、優先順位の低い周波数を除外して携帯機より送信される応答信号の周波数の切替パターンを特定する。
【００９４】
車両側ユニット１００は、照合が成立した回数の少ない周波数を優先順位の低い周波数とするように指示する情報を携帯機２００へ送信するようになっている。なお、この送信タイミングは、照合のためのデータの送受信とは別に事前に行われる。
【００９５】
また、携帯機２００は、この情報を受信すると、照合が成立した回数の少ない周波数を優先順位の低い周波数として、この優先順位の低い周波数を除外して応答信号を送出するようになっている。
【００９６】
車両側ユニット１００の制御部１３０は、図４のＳ１０４、Ｓ１１４において、照合が成立した回数の少ない周波数を優先順位の低い周波数として、この優先順位の低い周波数を除外して携帯機２００より送信される応答信号の周波数パターンを特定する。これにより、妨害波等により異常受信または正常受信できなかった周波数を除外して携帯機より送信される応答信号の周波数の切替パターンが特定されるので、応答性の低下を抑制しつつ、妨害波等による影響をなくすことが可能である。
【００９７】
（第４実施形態）
本実施形態では、照合が不成立となった回数の多い周波数を優先順位の低い周波数とし、周波数特定手段は、優先順位の低い周波数を除外して携帯機より送信される応答信号の周波数の切替パターンを特定する。
【００９８】
車両側ユニット１００は、照合が成立した回数の少ない周波数を優先順位の低い周波数とするように指示する情報を携帯機２００へ送信するようになっている。なお、この送信タイミングは、照合のためのデータの送受信とは別に事前に行われる。
【００９９】
また、携帯機２００は、この情報を受信すると、照合が不成立となった回数の多い周波数を優先順位の低い周波数として、この優先順位の低い周波数を除外して応答信号を送出するようになっている。
【０１００】
車両側ユニット１００の制御部１３０は、図４のＳ１０４、Ｓ１１４において、照合が成立した回数の少ない周波数を優先順位の低い周波数として、この優先順位の低い周波数を除外して携帯機２００より送信される応答信号の周波数パターンを特定する。これにより、妨害波等により異常受信または正常受信できなかった周波数を除外して携帯機より送信される応答信号の周波数の切替パターンが特定されるので、応答性の低下を抑制しつつ、妨害波等による影響をなくすことが可能である。
【０１０１】
（第５実施形態）
上記第１実施形態では、解錠操作に応じて携帯機２００より送信される応答信号の回数と、エンジン始動操作に応じて携帯機２００より送信される応答信号の回数を同じ回数（３回）としたが、本実施形態では、不正に照合が成立した場合の被害の大きさを考慮し、操作の種類に応じて解錠操作に応じて携帯機２００より送信される応答信号の回数を変更する。
【０１０２】
本実施形態では、例えば、車両側ユニット１００は、ドアの解錠操作またはドアの施錠操作に応じて携帯機２００より送信される応答信号の回数を２回とし、エンジン始動操作に応じて携帯機２００より送信される応答信号の回数を３回として、応答信号の周波数の切替パターンを特定する。
【０１０３】
このような構成によれば、ドアの解錠操作またはドアの施錠操作に応じて携帯機２００より送信される応答信号の回数よりも、エンジン始動操作に応じて携帯機２００より送信される応答信号の回数の方が多いので、仮に第三者が車両のドアを不正に解錠することができたとしてもエンジンを不正に始動させるのは難しく、車両盗難の防止を図ることができる。すなわち、不正に照合が成立した場合の盗難被害を小さくすることが可能である。
【０１０４】
（第６実施形態）
本実施形態では、応答信号の切替パターンをランダムに特定して携帯機２００より送信される応答信号の受信判定を実施することにより照合を実施し、この照合が成立した後、一定時間は、以降の携帯機２００の照合について、携帯機２００より送信される応答信号の周波数を、最初に照合が成立したときに携帯機２００より送信された応答信号の周波数のいずれかに固定する。
【０１０５】
車両側ユニット１００は、応答信号の切替パターンをランダムに特定して携帯機２００より送信される応答信号の受信判定を実施することにより照合を実施し、この照合が成立した場合、この照合が成立した後、一定時間は、以降の携帯機２００の照合について、携帯機２００より送信される応答信号の周波数を、照合が成立した携帯機２００の照合で使用した周波数のいずれか１つに固定するように携帯機２００に指示する。
【０１０６】
また、携帯機２００は、この指示に応じて一定時間は、以降の携帯機２００の照合について、携帯機２００より送信される応答信号の周波数を、照合が成立した携帯機２００の照合で使用した周波数のいずれか１つに固定するようになっている。
【０１０７】
車両側ユニット１００の制御部１３０は、応答信号の切替パターンをランダムに特定して携帯機２００より送信される応答信号の受信判定を実施することにより照合を実施し、この照合が成立した場合、この照合が成立した後、一定時間は、以降の携帯機２００の照合について、携帯機２００より送信される応答信号の周波数を、最初に照合が成立したときに携帯機２００より送信された応答信号の周波数のいずれかに固定して応答信号を受信する。これにより、より応答性を向上することができる。
【０１０８】
（第７実施形態）
上記第１実施形態では、エンジン始動操作に応じて車両のエンジン始動のための照合を実施する際に、応答信号の周波数の切替パターンをランダムに特定し、当該応答信号の周波数の切替パターンを示した情報を含むリクエスト信号に応答して携帯機２００より送信される応答信号の受信判定を実施したが、エンジン停止操作に応じて車両のエンジン停止のための照合を実施する際には、盗難被害の心配はない。同様に、車両のドアの施錠操作に応じて車両のドアの施錠のための照合を実施する際にも、盗難被害の心配はない。
【０１０９】
そこで、本実施形態では、車両のセキュリティ機能の解除を指示するための操作（解錠操作またはエンジン始動操作）と車両のセキュリティ機能の設定を指示するための操作（施錠操作またはエンジン停止操作）を監視して車両に対する安全な操作がなされたか否かを推定する。
【０１１０】
車両側ユニット１００は、車両に対する安全な操作がなされたと推定された場合、携帯機２００に、応答信号の周波数を予め定められた１つに固定するように指示する。
【０１１１】
また、携帯機２００は、車両側ユニット１００からの指示を受けると、応答信号の周波数を予め定められた１つに固定するようになっている。
【０１１２】
車両側ユニット１００の制御部１３０は、車両に対する安全な操作がなされたと推定された場合、応答信号の周波数を予め定められた１つに固定して応答信号を受信する。これにより、より応答性を向上することができる。
【０１１３】
（第８実施形態）
本実施形態に係る車載機器制御装置は、ナビゲーション装置（図示せず）とデータの授受を行うためのナビゲーションインタフェースを備え、このナビゲーションインタフェースを介してナビゲーション装置より車両位置を特定するための情報を取得することが可能となっている。
【０１１４】
図７に、車両のエンジン始動操作がなされた場合における車両側ユニット１００の制御部１３０によるエンジン始動処理のフローチャートを示す。制御部１３０は、定期的に図４に示す処理を実施する。
【０１１５】
まず、車両のエンジンの始動操作があるか否かを判定する（Ｓ３００）。ここで、車両のエンジンの始動操作がない場合、Ｓ３００の判定はＮＯとなり、Ｓ３００の判定を繰り返し実施する。
【０１１６】
また、車両のエンジンの始動操作が実施されると、Ｓ３００の判定はＹＥＳとなり、次に、ナビゲーションインタフェースを介してナビゲーション装置より車両位置を特定するための情報を取得し、当該車両位置を特定するための情報に基づいて車両位置を特定する（Ｓ３０２）。
【０１１７】
次に、車両位置が安全な場所であるか否かを判定する（Ｓ３０４）。本実施形態では、地点登録された自宅駐車場から予め定められた距離未満の領域と、地点登録された建物から予め定められた距離未満の領域と、危険な場所以外を安全な場所として、車両位置が安全な場所であるか否かを判定する。
【０１１８】
ここで、例えば、車両位置が自宅駐車場から予め定められた距離未満の領域に位置する場合、Ｓ３０２の判定はＹＥＳとなり、次に、応答信号の周波数を予め定められた周波数に固定し、車室内アンテナよりリクエスト信号を送信する（Ｓ３０６）。
【０１１９】
また、車両位置が自宅駐車場から予め定められた距離未満の領域と、地点登録された建物から予め定められた距離未満の領域のいずれにも位置しない場合、Ｓ３０２の判定はＮＯとなり、次に、ランダムな情報を含むリクエスト信号を車室内アンテナより送信する（Ｓ３０８）。
【０１２０】
ここで、Ｓ３０６、Ｓ３０８にて送信されたリクエスト信号に応答して携帯機２００より応答信号が送信される。
【０１２１】
次に、応答信号の受信判定を実施する（Ｓ３１０）。具体的には、Ｓ３０６、Ｓ３０８にて送信したリクエスト信号にて指定した応答信号の周波数の切替パターンに受信周波数を合わせて携帯機２００より順次送信される応答信号を受信し、更に、制御部１３０のメモリ１３２に記憶されたＩＤコードと、応答信号のレスポンス信号に含まれるＩＤコードの一致判定を行い、応答信号の受信判定を実施する。なお、Ｓ３０６にて、応答信号の周波数を予め定められた周波数に固定した場合には、この固定した周波数で応答信号を受信する。
【０１２２】
次に、応答信号の受信判定の判定結果に基づいて照合がＯＫか否かを判定する（Ｓ３１２）。
【０１２３】
ここで、応答信号の受信判定の判定結果に基づいて照合がＯＫとなった場合、Ｓ３１２の判定はＹＥＳとなり、次に、エンジン始動制御を実施する（Ｓ３１４）。具体的には、エンジン制御装置４００に車両のエンジン始動を指示し、これにより、車両のエンジンが始動する。
【０１２４】
また、応答信号の受信判定の判定結果に基づいて照合がＮＧとなった場合、Ｓ３１４の判定はＮＯとなり、エンジン始動制御を実施することなく、本処理を終了する。
【０１２５】
上記したように、車両位置が安全な場所であるか否かを推定し、車両位置が安全な場所でないと推定された場合には、携帯機より送信される複数の応答信号の周波数の切替パターンをランダムに特定し、車両位置が安全な場所であると推定された場合には、携帯機より送信される応答信号の周波数を予め定められた１つに固定することができる。
【０１２６】
（第９実施形態）
上記第６〜第８実施形態では、応答信号の周波数を固定する構成を示したが、本実施形態では、一定時間内に携帯機２００の照合を指示するための同一の操作（施錠操作、解錠操作、エンジン始動操作、エンジン停止操作のいずれか１つ）が実施されたと判定された場合、応答信号の周波数の固定を解除する。
【０１２７】
車両側ユニット１００は、一定時間内に携帯機２００の照合を指示するための同一の操作（施錠操作、解錠操作、エンジン始動操作、エンジン停止操作のいずれか１つ）が実施されたと判定された場合、携帯機２００に、応答信号の周波数の固定を解除するように指示する。
【０１２８】
また、携帯機２００は、車両側ユニット１００からの指示を受けると、応答信号の周波数の固定を解除するようになっている。
【０１２９】
車両側ユニット１００の制御部１３０は、一定時間内に携帯機２００の照合を指示するための同一の操作（施錠操作、解錠操作、エンジン始動操作、エンジン停止操作のいずれか１つ）が実施されたと判定された場合、応答信号の周波数を予め定められた１つに固定して応答信号を受信する。これにより、応答性を向上することができる。
【０１３０】
なお、本実施形態では、一定時間内に携帯機２００の照合を指示するための同一の操作が実施されたと判定された場合、応答信号の周波数の固定を解除したが、一定時間内に携帯機２００の照合を指示するための連続した同一の操作が実施されたと判定された場合、応答信号の周波数の固定を解除するようにしてもよい。
【０１３１】
（第１０実施形態）
本実施形態では、車両側ユニット１００の制御部１３０は、照合を指示するための同一操作が一定回数以上実施されたと判定された場合には、携帯機２００に、応答信号の周波数の固定を解除するように指示するようになっている。
【０１３２】
また、携帯機２００は、車両側ユニット１００からの指示を受けると、応答信号の周波数の固定を解除するようになっている。
【０１３３】
車両側ユニット１００の制御部１３０は、携帯機２００の照合を指示するための同一操作が一定回数以上実施されたことを判定した場合には、携帯機より送信される応答信号の周波数の固定を解除して応答信号を受信する。これにより、応答性を向上することができる。
【０１３４】
なお、本実施形態では、照合を指示するための同一操作が一定回数以上実施されたと判定された場合、応答信号の周波数の固定を解除したが、照合を指示するための連続した同一操作が一定回数以上実施されたと判定された場合、応答信号の周波数の固定を解除するようにしてもよい。
【０１３５】
（第１１実施形態）
本実施形態では、車両側ユニット１００の制御部１３０は、一定時間内に携帯機２００の照合を指示するための同一操作が一定回数以上実施されたことを判定した場合には、携帯機２００に、応答信号の周波数の固定を解除するように指示するようになっている。
【０１３６】
また、携帯機２００は、車両側ユニット１００からの指示を受けると、応答信号の周波数の固定を解除するようになっている。
【０１３７】
車両側ユニット１００の制御部１３０は、一定時間内に携帯機２００の照合を指示するための同一操作が一定回数以上実施されたことを判定した場合、携帯機２００より送信される応答信号の周波数の固定を解除して応答信号を受信する。これにより、応答性を向上することができる。
【０１３８】
なお、本実施形態では、一定時間内に携帯機２００の照合を指示するための同一操作が一定回数以上実施されたことを判定した場合、応答信号の周波数の固定を解除したが、一定時間内に携帯機２００の照合を指示するための連続した同一操作が一定回数以上実施されたことを判定した場合、応答信号の周波数の固定を解除するようにしてもよい。
【０１３９】
（第１２実施形態）
本実施形態では、携帯機２００より送信される複数の応答信号の周波数の切替パターンの特定方法を選択する選択画面を表示させ、この選択画面に従ってユーザにより選択された応答信号の周波数の切替パターンの特定方法に従って携帯機より送信される複数の応答信号の周波数の切替パターンを特定する。
【０１４０】
このように、携帯機より送信される複数の応答信号の周波数の切替パターンの特定方法を選択する選択画面を表示させ、選択画面に従ってユーザにより選択された応答信号の周波数の切替パターンの特定方法に従って携帯機より送信される複数の応答信号の周波数の切替パターンを特定することもできる。
【０１４１】
（第１３実施形態）
上記第１実施形態では、リクエスト信号の予め定められた特定ビット（例えば、３ビット）から応答信号の周波数の切替パターンを判定したが、本実施形態では、リクエスト信号のフレームを複数のブロックに分割し、各ブロックのデータ値により特定される周波数で応答信号の周波数の切替パターンを判定する。
【０１４２】
例えば、フレーム長が３２ビットの場合、４つの８ビットのブロックに分割し、１番目のブロックの値に対応する周波数、２番目のブロックの値に対応する周波数、３番目のブロックの値に対応する周波数、４番目のブロックの値に対応する周波数の順になるように応答信号の周波数の切替パターンを判定する。例えば、１番目のブロックの値が３ｈ（以下、ｈは１６進数を表す）、２番目のブロックの値が２ｈ、３番目のブロックの値がＦｈ、４番目のブロックの値がＤｈとなっており、ブロックの値が３の場合はｆ１、ブロックの値が２の場合はｆ２、ブロックの値がＦの場合はｆ３、ブロックの値がＤの場合はｆ２となっている場合、応答信号の周波数の切替パターンは、ｆ１、ｆ２、ｆ３、ｆ２の順となる。
【０１４３】
このように、リクエスト信号のフレームを複数のブロックに分割し、各ブロックの値（データ）により特定される周波数で応答信号の周波数の切替パターンを判定するようにすることで、応答信号の周波数の切替パターンを特定するためのビットをリクエスト信号に割り当てる必要もなくなる。
【０１４４】
（第１４実施形態）
上記第１実施形態では、リクエスト信号の予め定められた特定ビット（例えば、３ビット）から応答信号の周波数の切替パターンを判定したが、本実施形態では、リクエスト信号のフレーム内のデータの値を変数とする関数を用いて応答信号の周波数の切替パターンを判定する。
【０１４５】
例えば、フレーム長が３２ビットの場合、４つの８ビットのブロックに分割し、１番目のブロックの値が４ｈ、２番目のブロックの値がＡｈ、３番目のブロックの値が６ｈ、４番目のブロックの値が３となっている場合、４Ａ６３を変数とする関数ｆ（ｘ）を用いて応答信号の周波数の切替パターンを判定する。例えば、ｆｘ（４Ａ６３）＝００１となった場合、００１に対応させて、応答信号の周波数の切替パターンを、ｆ１、ｆ３、ｆ３とする。
【０１４６】
このように、リクエスト信号のフレーム内のデータの値を変数とする関数を用いて応答信号の周波数の切替パターンを判定することで、応答信号の周波数の切替パターンを特定するためのビットをリクエスト信号に割り当てる必要もなくなる。
【０１４７】
（第１５実施形態）
上記第１実施形態では、リクエスト信号の予め定められた特定ビット（例えば、３ビット）から応答信号の周波数の切替パターンを判定したが、本実施形態では、リクエスト信号のフレームを複数のブロックに分割し、各ブロックの特定ビットのデータ値により特定される周波数で応答信号の周波数の切替パターンを判定する。
【０１４８】
例えば、フレーム長が３２ビットの場合、４つの８ビットのブロックに分割し、１番目のブロックでは、下位３ビット目のデータ値に対応する周波数、２番目のブロックでは、下位２ビット目のデータ値に対応する周波数、３番目のブロックでは、下位１５ビット目のデータ値に対応する周波数、４番目のブロックでは、下位１３ビット目のデータ値に対応する周波数の順になるように応答信号の周波数の切替パターンを判定する。
【０１４９】
このように、リクエスト信号のフレームを複数のブロックに分割し、各ブロックの特定ビットのデータ値により特定される周波数で応答信号の周波数の切替パターンを判定するようにすることで、応答信号の周波数の切替パターンを特定するためのビットをリクエスト信号に割り当てる必要もなくなる。
【０１５０】
（その他の実施形態）
上記実施形態では、車両のドアの施錠操作、車両のドアの解錠操作、車両のエンジンの始動操作および車両のエンジンの停止操作に応じて携帯機２００の照合を実施したが、これらの操作以外の操作に応じて携帯機２００の照合を実施することもできる。
【０１５１】
また、上記実施形態では、走行用の動力源としてエンジンを搭載した車両のエンジン操作およびエンジン停止操作に応じて携帯機２００の照合を実施したが、このようなエンジン停止操作に限定されるものではなく、例えば、エンジンとモータを走行用の動力源として走行するハイブリッド車におけるエンジンおよびモータの始動・停止操作、モータを走行用の動力源として走行する電気自動車におけるモータの始動・停止操作に応じて携帯機２００の照合を実施することもできる。
【０１５２】
なお、上記実施形態における構成と特許請求の範囲の構成との対応関係について説明すると、Ｓ１０２、Ｓ１１２、Ｓ２０２、Ｓ３０６、Ｓ３０８がリクエスト信号送出手段に相当し、Ｓ１０４、Ｓ１１４、Ｓ２０４、Ｓ３１０が周波数特定手段および受信判定手段に相当し、図６において、リクエスト信号を送信した後、携帯機２００へトリガ信号Ｔｒｇを送出するステップがトリガ信号送出手段に相当し、Ｓ１０８、Ｓ１１０、Ｓ２１０、Ｓ２１２が記憶手段に相当し、ドアハンドルに設けられたドアスイッチおよびドアハンドルの裏側に設けられた接触センサが第１の操作部に相当し、エンジン始動停止スイッチが第２の操作部に相当し、Ｓ３０２が車両位置特定手段に相当し、Ｓ３０４が推定手段に相当する。
【符号の説明】
【０１５３】
１００  車両側ユニット
１１０  発信機
１２０  チューナ
１３０  制御部
１３１  ＣＰＵ
１３２  メモリ
２００  携帯機
２１０  受信部
２２０  送信部
２３０  制御部
３００  ドア制御装置
４００  エンジン制御装置
【図１】
0005541086.tif 000002
【図２】
0005541086.tif 000003
【図３】
0005541086.tif 000004
【図４】
0005541086.tif 000005
【図５】
0005541086.tif 000006
【図６】
0005541086.tif 000007
【図７】
0005541086.tif 000008